(57)【特許請求の範囲】
【請求項１】
内側が中空状に成形されてなる受枠と、
この受枠の内側に形成されてなる一方の係合部と、
上記受枠を開閉するマンホール蓋と、
このマンホール蓋に形成されてなるバール挿入用の開口と、
上記マンホール蓋の裏面側に回動可能に取り付けられ、上記バール挿入用の開口を閉塞する閉塞栓と、上記一方の係合部に係合する他方の係合部と、一方及び他方の凸部とが形成されてなるロック部材と、
上記マンホール蓋の下面に形成され、互いに対向してなる一方及び他方のロック部材支持片と、
これら一方及び他方のロック部材支持片にそれぞれ形成され上記凸部が挿入されてなる楕円形状の凹部と、
一端は上記マンホール蓋に当接し他端は該ロック部材に係合してなるとともに上記一方又は他方の凸部が挿通されてなり、上記一方の係合部と該ロック部材に形成された他方の係合部が係合する方向に付勢してなるトーションバネと、
押さえ部材と、を備え、
上記押さえ部材は、線材が略コ字状に成形されてなるとともに、互いに対向する一方及び他方の押さえ部とを備え、上記一方の押さえ部が前記一方の凸部に下方から圧接し、他方の押さえ部は前記他方の凸部に下方から圧接してなることを特徴とするロック式マンホール。
【発明の詳細な説明】
【０００１】
【発明が属する技術分野】
本発明は、受枠に載置され該受枠に形成された開口を閉塞するマンホール蓋が不用意に開放されることを規制するロック式マンホールに関するものである。
【０００２】
【従来の技術】
従来、マンホール蓋は、リング状に成形された受枠上に、何ら連結されず単に載置されているもの以外に、受枠に蝶番を介して開閉可能に連結された状態で載置されているものが使用され、さらに近年では、集中豪雨等によりマンホール内に乱流した雨水等の圧力によりマンホール蓋が不用意に開放されないようにロック部材によりロックされるロック式のマンホールが提案され実施されている。
【０００３】
例えば、本出願人が先に提案した特開２０００−１２０９６号公報に開示したロック式マンホール５０は、図７に示すように、マンホール蓋５１を支持している受枠５２の内周に一方の係合部５２ａを設け、マンホール蓋５１の下面には、この一方の係合部５２ａに係合する他方の係合部５３ａが形成されてなるロック部材５３を回動自在に支持し、さらに、このロック部材５３は、コイルバネ（引張りバネ）５４により、上記一方の係合部５２ａと該ロック部材５３に形成された他方の係合部５３ａとが互いに係合する方向に該ロック部材５３を付勢するよう構成されたものである。なお、上記マンホール蓋５１には、図示しないバールが挿入されるバール挿入用の開口５１ａが形成され、上記ロック部材５３には、この開口５１ａを閉塞する閉塞栓５５が形成されている。また、上記コイルバネ５４は、一端が上記マンホール蓋５１に固定され他端は上記ロック部材５３に固定されている。したがって、マンホール蓋５１に形成されたバール挿入用の開口５１ａ内に、マンホール蓋５１の上方から上記バールを挿入すると、該バールの先端は、上記ロック部材５３に形成された閉塞栓５５に当接し、さらに上記コイルバネ５４の付勢力に抗して下方に押圧すると、このロック部材５３は回転させられ、これによってそれまでロック部材５３によりロックされていた受枠５２とマンホール蓋５１とは、そのロック状態が解除される。
【０００４】
【発明が解決しようとする課題】
しかしながら、上述したロック式マンホール５０では、受枠５２に形成された一方の係合部５２ａと、ロック部材５３に形成された他方の係合分５３ａとが互いに係合するように付勢していた部材が上述のようにコイルバネ５４であることから、マンホール蓋５１の搬入時や設置作業時に、他のマンホール蓋５１その他の部材に接触することにより、該コイルバネ５４が変形し又は破壊されてしまう場合が多く、正確に所定の取付位置に取り付けることができなくなり、或いは取り付けることはできたとしてもロック部材５３により受枠５２とマンホール蓋５１とが正確にロックできない場合ある。
【０００５】
そこで、本発明は、上述した従来のロック式マンホールが有する課題を解決するために提案されたものであって、受枠の設置構造が有する課題を解決するために提案されたものであって、マンホールの搬入時や設置作業時に、他のマンホール蓋その他の部材に接触したとしても、ロック部材を所定の位置に正確に取り付けることができ、ロック部材により受枠とマンホール蓋とが確実にロックすることができるロック式マンホールを提供することを目的とするものである。
【０００６】
【課題を解決するための手段】
本発明は上記の課題を解決するために提案されたものであって、内側が中空状に成形されてなる受枠と、この受枠の内側に形成されてなる一方の係合部と、上記受枠を開閉するマンホール蓋と、このマンホール蓋に形成されてなるバール挿入用の開口と、上記マンホール蓋の裏面側に回動可能に取り付けられ、上記バール挿入用の開口を閉塞する閉塞栓と、上記一方の係合部に係合する他方の係合部と、一方及び他方の凸部とが形成されてなるロック部材と、上記マンホール蓋の下面に形成され、互いに対向してなる一方及び他方のロック部材支持片と、これら一方及び他方のロック部材支持片にそれぞれ形成され上記凸部が挿入されてなる楕円形状の凹部と、一端は上記マンホール蓋に当接し他端は該ロック部材に係合してなるとともに上記一方又は他方の凸部が挿通されてなり、上記一方の係合部と該ロック部材に形成された他方の係合部が係合する方向に付勢してなるトーションバネと、押さえ部材と、を備え、上記押さえ部材は、線材が略コ字状に成形されてなるとともに、互いに対向する一方及び他方の押さえ部とを備え、上記一方の押さえ部が前記一方の凸部に下方から圧接し、他方の押さえ部は前記他方の凸部に下方から圧接してなることを特徴とするものである。
【０００７】
上述した発明によれば、単にトーションバネの弾性力により、ロック部材を介して受枠とマンホール蓋とが確実にロックされるばかりではなく、トーションバネは、ロック部材に形成された凸部が挿通されてなることから、マンホール蓋の搬入時や設置作業時に他のマンホール蓋や他の部材と接触することにより、変形され又は破壊される可能性を有効に低下させることができる。すなわち、トーションバネは、直線状となされた一端側と他端側との間に螺旋状に成形された巻回部を有し、この巻回部に上記凸部が挿通されていることから、この発明によれば、該巻回部に他のマンホール蓋が当接しても変形し又は破壊される可能性は極めて少ない。特に、この発明を構成する押さえ部材は、線材が略コ字状に成形され、互いに対向する一方の押さえ部が前記一方の凸部に圧接し、他方の押さえ部は前記他方の凸部に圧接されてなることから、押さえ部材の組み付け作業も簡易なものとすることができ、コストの低減化も図ることができる。
【０００８】
【０００９】
【００１０】
【発明の実施の形態】
以下、本発明の一実施の形態に係るロック式マンホールについて、図面を参照しながら詳細に説明する。
【００１１】
この実施の形態に係るロック式マンホール１は、図１に示すように、地中に埋設固定され内側には、開口２ａ（図２参照）が形成されてなる受枠２と、この受枠２に蝶番３を介して開閉可能に連結され上記開口２ａを開閉するマンホール蓋４と、上記受枠２とマンホール蓋４とをロックするロック部材５を備えている。
【００１２】
上記受枠２は、ほぼ円筒状に成形されてなる枠部２ｂと、この枠部２ｂの下端から該枠部２ｂの外側に延在してなるフランジ部２ｃとを備えている。そして、上記枠部２ｂの内側には、一方の係合部２ｄが形成されている。この一方の係合部２ｄは、後述するロック部材５に形成された他方の係合部に係合する部位であり、これら一方の係合部２ｄと後述する他方の係合部との係合により、上記受枠２とマンホール蓋４とがロックされる。また、上記フランジ部２ｃには、ボルト挿通孔２ｅが複数形成され、このボルト挿通孔２ｅには、この受枠２の位置決めを行うためのボルト６及びこのボルト６に螺着される二つのナット７，８が螺着され部位である。
【００１３】
また、上記マンホール蓋４は、円盤状に成形された蓋部４ａと、この蓋部４ａの周部に形成されたリング部４ｂ（図２参照）とを備え、上記蓋部４ａの下面には、複数のリブ４ｃが形成されている。また、この蓋部４ａの端部には、後述するように、ロックされたマンホール蓋４のロック状態を解除し該マンホール蓋４を回動操作するバールの先端が挿入されるバール挿入用開口４ｄが形成されている。
【００１４】
また、上記マンホール蓋４を構成する蓋部４ａの下面には、図３及び図４に示すように、上記バール挿入用開口４ｄの形成位置よりも、やや該蓋部４ａの中心側の一方側に、一方のロック部材支持片１０が形成され、他方側には、この一方のロック部材支持片１０に平行となされ且つ面対向してなる他方のロック部材支持片１１が垂下されている。そして、上記一方のロック部材支持片１０と他方のロック部材支持片１１の内側面には、略楕円形状の凹部１０ａ，１１ａが形成されている。また、上記蓋部４ａの下面には、一端が上記一方のロック部材支持片１０と連続してなり細長状に成形された一方の外側リブ１２と、上記他方のロック部材支持片１１に一端が連続してなり、上記一方の外側リブ１２と同一の長さとされた他方の外側リブ１３とが形成されている。また、この蓋部４ａの下面には、上記一方の外側リブ１２の内側面に対向してなる一方の内側リブ１４と、上記他方の外側リブ１３の内側面に対向してなる他方の内側リブ１５と、両端がこれら一方の内側リブ１４と他方の内側リブ１５に連続してなるとともに、上記一方及び他方のロック部材支持片１０，１１よりもさらに垂下してなり後述するロック部材５の回動範囲を規制する回動規制片１６とが垂下形成されている。したがって、このマンホール蓋４の下面には、上記一方の外側リブ１２と一方の内側リブ１４との間により一方の溝部（符号は省略する。）が形成され、また、上記他方の外側リブ１３と他方の内側リブ１５とにより他方の溝部（符号は省略する。）が形成されている。
【００１５】
またさらに、上記マンホール蓋４の蓋部４ａの下面であって、上記一方及び他方の溝部の形成位置よりも、略該マンホール蓋４の中心方向には、一方及び他方の押さえ片固定部１７，１８が並列した状態で垂下形成されてなり、これら一方及び他方の押さえ片固定部１７，１８には、一枚の押さえ片１９が、ボルト２０，２１及びナット２２，２３により固定されている。なお、上記一方及び他方の押さえ片固定部１７，１８の固定面１７ａ，１８ａには、押さえ片１９の位置決め及び脱落防止として機能する段差部１７ｂ，１８ｂが形成されてなるとともに、上記ボルト２０，２１が挿通される挿通孔（符号は省略する。）が穿設されている。また、上記押さえ片１９の両側にも上記ボルト２０，２１が挿通される挿通孔（符号は省略する。）が穿設されている。また、上記各一方及び他方の押さえ片固定部１７，１８の後方（マンホール蓋４の略中心側）には、前記回動規制片１６と対向する当接リブ２４が垂下形成されている。
【００１６】
また、上記ロック部材５は、図３に示すように、側面形状が略釣り針状又はＪ字状に成形されたロック部材本体２５と、上記マンホール蓋４を構成するバール挿通用開口を開閉する開閉栓２６とから構成されている。上記ロック部材本体２５は、前記一方のロック部材支持片１０の内側に形成された凹部１０ａ内に挿入される一方の凸部２５ａと、該一方の凸部２５ａとは反体方向に突出し、前記他方のロック部材支持片１１の内側に形成された凹部１１ａ内に挿入される他方の凸部２５ｂとを備えている。上記一方及び他方の凸部２５ａ，６ｂは、何れも円柱状に成形され、先端側には、基端側の径よりも細く成形された一方及び他方の細径部２５ｃ，２５ｄが形成されている。なお、これら一方及び他方の細径部２５ｃ，２５ｄの長さは、図４に示すように、上記凹部１０ａ，１１ａの深さに対応したものとされている。
【００１７】
また、上記ロック部材本体２５の一端（先端）には、前記受枠２の内側に形成された一方の係合部２ｄに係合する他方の係合部２５ｅが形成されている。また、上記ロック部材本体２５の一側であって、上記一方の凸部２５ａの形成位置よりも上記他方の係合部２５ｅ側には、Ｌ字状となされた一方の係止部２５ｆが形成され、該ロック部材本体２５の他側であって、上記他方の凸部２５ｂの形成位置よりも他方の係合部２５ｅ側には、Ｌ字状となされた他方の係止部２５ｇが形成されている。これら一方及び他方の係止部２５ｆ，２５ｇは、後述する各トーションバネの一端側が係止される部位である。
【００１８】
また、上記ロック部材本体２５の正面のやや上端側には、互いに対向するとともに図示しないボルト孔が形成されてなる栓連結板部２５ｈ，２５ｉが形成されている。一方、上記開閉栓２６は、上記マンホール蓋４に形成されたバール用開口４ｄを開閉する蓋部２６ａと、この蓋部２６ａの下面から垂下してなる連結板部２６ｂとから構成され、この連結板部２６ｂは、上記互いに対向する栓連結板部２５ｈ，２５ｉの間に挿入されるとともに、図示しないボルト及びナット（符号は省略する。）により、該ロック部材本体２５に対して上記ボルト（の軸部）を中心に回動可能に連結されている。
【００１９】
そして、このロック式マンホール１では、上記ロック部材５が取り付けられたマンホール蓋４に対して、図４に示すように、一方のトーションバネ３０及び他方のトーションバネ３１が取り付けられている。これら一方及び他方のトーションバネ３０，３１は、図３に示すように、線材からなるものであり、螺旋状に巻回されている巻回部３０ａ，３１ａと、この巻回部３０ａ，３１ａから略直線状に突出してなる一方の線状部３０ｂ，３１ｂと、上記巻回部３０ａ，３１ａから、上記一方の線状部３０ｂ，３１ｂとは逆方向に突出してなる他方の線状部３０ｃ，３１ｃとから構成されている。なお、上記一方の線状部３０ｂ,３１ｂは、他方の線状部３０ｃ，３１ｃの長さよりも短い長さとされている。そして、上記一方のトーションバネ３０は、図４に示すように、上記巻回部３０ａに上記ロック部材本体２５に形成された一方の凸部２５ａが挿通され、上記一方の線状部３０ｂが該ロック部材２５に形成された一方の係止部２５ｆに係止されるとともに、他方の線状部３０ｃは、上記一方の外側リブ１２と一方の内側リブ１４との間に形成された一方の溝部（符号は省略する。）内に配設され、さらに、この他方の線状部３０ｃの先端側は、上記押さえ片１９の一端側下面とマンホール蓋４の下面とにより挟持されている。また、上記他方のトーションバネ３１は、図４に示すように、上記巻回部３１ａに上記ロック部材本体２５に形成された他方の凸部２５ｂが挿通され、上記一方の線状部３１ｂが該ロック部材２５に形成された他方の係止部２５ｇに係止されるとともに、他方の線状部３１ｃは、上記他方の外側リブ１３と他方の内側リブ１５との間に形成された他方の溝部（符号は省略する。）内に配設され、さらに、この他方の線状部３１ｃの先端側は、上記押さえ片１９の他端側下面とマンホール蓋４の下面とにより挟持されている。
【００２０】
また、このように配設された上記一方及び他方のトーションバネ３０，３１は、押さえ部材３３により位置決めされている。この押さえ部材３３は、線材をコ字状に成形したものであって、上記一方及び他方のトーションバネ３０，３１の全長よりもやや短い長さを有してなる一方の押さえ部３３ａと、この一方の押さえ部３３ａと並列してなる他方の押さえ部３３ｂと、一端は上記一方の押さえ部３３ａに連続し他端は他方の押さえ部３３ｂに連続してなる基端部３３ｃとから構成されている。そして、この押さえ部材３３は、上記一方の押さえ部３３ａの先端側が、上記ロック部材本体２５を構成する一方の凸部２５ｄの側面に当接し、また、他方の押さえ部３３ｂの先端側が他方の凸部２５ｅの側面に当接するとともに、それぞれの基端側中途部は、上記押さえ片１９とマンホール蓋４の下面とにより挟持され、上記基端部３３ｃは、前記マンホール蓋４の下面に垂下してなる当接リブ２４に対向した状態で、配設されている。なお、上記一方の押さえ部３３ａの当接位置は、上記一方のトーションバネ３０を構成する巻回部３０ａと、一方のロック部材支持片１０との間であり、他方の押さえ部３３ｂの当接位置は、上記他方のトーションバネ３１を構成する巻回部３１ａと、他方のロック部材支持片１１との間とされている。したがって、図１に示すように、上記押さえ部材３３を構成する一方（及び他方）の押さえ部３３ａ（３３ｂ）は、やや湾曲した状態でマンホール蓋４の下面側に配設されている。
【００２１】
したがって、上述したロック式マンホール１では、通常時においては、図１に示すように、ロック部材５を構成する開閉栓２６により、マンホール蓋４に形成されたバール用開口４ｄは閉塞されているとともに、該ロック部材５は、該ロック部材５を構成するロック部材本体２５に形成された他方の係合部２５ｅと、受枠２の内側に形成された一方の係合部２ｄとが互いに係合している。これは、上記一方及び他方のトーションバネ３０，３１の弾性力により、ロック部材５は、図１中において、時計回り方向に付勢されているからである。したがって、雨水やその他により、このロック式マンホール１内が加圧された場合であっても、上記一方及び他方の係合部２ｄ，２５ｅとの係合により、不用意に該マンホール蓋４が開放されてしまうことがない。
【００２２】
そして、このようにロック部材５によりロックされている状態において、作業者が、図５に示すように、バールＢの先端を、上記開閉栓２６の上面に当接させ、上記一方及び他方のトーションバネ３０，３１の弾性力に抗してさらに下方に力を作用させると、上記ロック部材本体２５は、上記一方及び他方の凸部２５ａ，２５ｂを中心に、図５中反時計回り方向に回転し、こうした動作に伴って、それまでバール用開口２ｄを閉塞していた開閉栓２６は、該開閉栓２６とロック部材本体２５とを連結している図示しないボルトの軸を中心に、やや回動させられ、図６示すように、徐々に下方に移動する。また、こうしたロック部材５の動作により、それまで、互いに係合していた上記一方及び他方の係合部２ｄ，２５ｅの係合状態は、図６に示すように、解除される。
【００２３】
また、上述したロック式マンホール１では、一方のトーションバネ３０を構成する巻回部３０ａは、上記ロック部材本体２５を構成する一方の凸部２５ｂが挿通され、他方のトーションバネ３１を構成する巻回部３１ａは、他方の凸部２５ｃが挿通されていることから、上記ロック部材５が組み付けられたマンホール蓋４を搬入や搬出又は設置作業の際に、他のマンホール蓋４等に該一方及び他方のトーションバネ３０，３１が当接又は衝突した場合であっても、変形し又は破壊される恐れを十分抑制することができる。また、本実施の形態においては、上記一方のトーションバネ３０を構成する他方の線状部３０ｃは、上記一方の外側リブ１２と一方の内側リブ１４との間に形成された一方の溝部（符号は省略する。）内に配設され、また、他方のトーションバネ３１を構成する他方の線状部３１ｃは、上記他方の外側リブ１３と他方の内側リブ１５との間に形成された他方方の溝部（符号は省略する。）内に配設されていることから、他のマンホール蓋４等がこれら他方の線状部３０ｃ，３１ｃに衝突した場合であっても、変形する危険性がない。さらに、上記一方及び他方のトーションバネ３０，３１は、上記押さえ部材３３により位置決めされているので、マンホール蓋４の設置作業時や該マンホール蓋４の開閉時に大きな振動が発生が発生した場合であっても、上記一方及び他方のトーションバネ３０，３１が外れてしまうことを防止することができる。
【００２４】
なお、上記実施の形態に係るロック式マンホール１では、ロック部材５を、ロック部材本体２５と、開閉栓２６とから構成したが、この開閉栓２６は、必ずしもロック部材本体２５とは別体とされている必要はなく、該ロック部材本体２５に一体成形されているのもであっても良い。また、上記ロック式マンホール１では、ロック部材５を回動可能に支持する一方及び他方のロック部材支持片１０，１１に支持される一方及び他方の凸部２５ａ，２５ｂを、それぞれの（一方及び他方の）トーションバネ３０，３１の巻回部３０ａ，３１ａに挿通させたが、本発明は、必ずしも、こうした構成とされている必要はない。例えば、ロック部材５に図示しない１つの凸部を形成し、この凸部は１つのトーションバネの巻回部に挿通されているものであっても良い。
【００２５】
【発明の効果】
前述した本発明の一実施の形態の説明からも明らかなように、本発明によれば、単にトーションバネの弾性力により、ロック部材を介して受枠とマンホール蓋とが確実にロックされるばかりではなく、ロック部材に形成された凸部がトーションバネに挿通されてなることから、マンホール蓋の搬入時や設置作業時に他のマンホール蓋や他の部材と接触することにより、変形され又は破壊される可能性を有効に低下させることができる。すなわち、トーションバネは、直線状となされた一端側と他端側との間に螺旋状に成形された巻回部を有し、この巻回部に上記凸部が挿通されていることから、この発明によれば、該巻回部に他のマンホール蓋が当接しても変形し又は破壊される可能性は極めて少ない。特に、この発明を構成する押さえ部材は、線材が略コ字状に成形され、互いに対向する一方の押さえ部が前記一方の凸部に圧接し、他方の押さえ部は前記他方の凸部に圧接されてなることから、押さえ部材の組み付け作業も簡易なものとすることができ、コストの低減化も図ることができる。
【００２６】
【図面の簡単な説明】
【図１】本発明の一実施の形態に係るロック式マンホールを示す側断面図である。
【図２】受枠と分離したマンホール蓋を下方から示す斜視図である。
【図３】ロック部材や一方及び他方のトーションバネ等の構成を示す分解斜視図である。
【図４】マンホール蓋の下面の要部を示す底面図である。
【図５】ロック状態となされたマンホール蓋を解除する前の状態を示す側断面図である。
【図６】ロック状態が解除された後の状態を示す側断面図である。
【図７】従来のロック式マンホールの要部を示す側断面図である。
【符号の説明】
１ ロック式マンホール
２ 受枠
２ｄ 一方の係合部
４ マンホール蓋
４ｄ バール用開口
５ ロック部材
１０ 一方のロック部材支持片
１１ 他方のロック部材支持片
２５ａ 一方の凸部
２５ｂ 他方の凸部
２５ｅ 他方の係合部
３０ 一方のトーションバネ
３０ａ 巻回部
３１ 他方のトーションバネ
３１ａ 巻回部
３３ 押さえ部材
３３ａ 一方の押さえ部
３３ｂ 他方の押さえ部
【図１】
0003778434.tif 000002
【図２】
0003778434.tif 000003
【図３】
0003778434.tif 000004
【図４】
0003778434.tif 000005
【図５】
0003778434.tif 000006
【図６】
0003778434.tif 000007
【図７】
0003778434.tif 000008